【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
１つ以上のプロセッサが、タッチ式入力デバイスから入力パターンを受信する受信工程であって、前記入力パターンは、前記入力デバイス上において行われる複数のユーザジェスチャの方向変化に対応する１つ以上の方向変化を含み、前記方向変化は、前記複数のユーザジェスチャの各々における終了の動きに基づいており、前記入力パターンの第１部分は１つの指によって形成され、前記入力パターンの第２部分は複数の指によって形成される、前記受信工程と、
１つ以上のプロセッサが、ユーザのセキュリティプロファイルに関連付けられているセキュリティパターンの方向変化に前記入力パターンの前記方向変化が一致するか否かを判定する判定工程であって、前記タッチ式入力デバイス上での前記入力パターンのサイズ又は特定の位置が、前記セキュリティパターンとは比較されない、前記判定工程と、
前記入力パターンの前記方向変化が前記セキュリティパターンの前記方向変化に一致する場合、ユーザデバイス又はユーザアカウントに対するユーザのアクセスを許可するアンロック信号を提供する提供工程と、
を備えるコンピュータ実装方法。
【請求項２】
前記セキュリティパターンは、タッチ・インターフェース上において行われる前記複数のユーザジェスチャに対応する入力測定の集積物であり、前記入力測定は、各ユーザジェスチャの前記終了の動きの方向及び速度を含む、請求項１に記載のコンピュータ実装方法。
【請求項３】
前記判定工程は、前記複数のユーザジェスチャのうちの１つ以上における速度に基づく、請求項１に記載のコンピュータ実装方法。
【請求項４】
前記判定工程は、前記複数のユーザジェスチャのうちの１つ以上における終了の動きと速度とに基づく、請求項１に記載のコンピュータ実装方法。
【請求項５】
前記セキュリティパターンの一部分は、１つ以上の直線的なユーザジェスチャに対応する、請求項１に記載のコンピュータ実装方法。
【請求項６】
前記セキュリティパターンの一部分は、１つ以上の直線的でないユーザジェスチャに対応する、請求項１に記載のコンピュータ実装方法。
【請求項７】
前記入力パターンは、複数の指を用いて前記入力デバイス上において形成される、請求項１に記載のコンピュータ実装方法。
【請求項８】
１つの指のみを用いることにより形成される前記入力パターンを受信するように前記タッチ式入力デバイスを構成するべく、前記タッチ式入力デバイス上においてフィールドに対するフォーカス機能をアクティベートする工程をさらに備える、請求項１に記載のコンピュータ実装方法。
【請求項９】
前記タッチ式入力デバイスは、コンピューティング・デバイスに関連付けられているトラックパッドである、請求項１に記載のコンピュータ実装方法。
【請求項１０】
前記タッチ式入力デバイスは、コンピューティング・デバイスに関連付けられているタッチスクリーンである、請求項１に記載のコンピュータ実装方法。
【請求項１１】
１つ以上のプロセッサが、ユーザのバイオメトリック入力が前記ユーザのセキュリティプロファイルにおけるバイオメトリックパターンに一致するか否かを判定する工程と、
前記バイオメトリック入力が前記バイオメトリックパターンに一致する場合、前記アンロック信号を提供する工程と、
をさらに備える、請求項１に記載のコンピュータ実装方法。
【請求項１２】
１つ以上のプロセッサが、前記タッチ式入力デバイスから第２入力パターンを受信する工程であって、前記第２入力パターンは、前記入力デバイス上において行われる複数のユーザジェスチャの方向変化に対応する１つ以上の方向変化を含む、前記工程と、
１つ以上のプロセッサが、前記ユーザのセキュリティプロファイルに関連付けられている第２セキュリティパターンの方向変化に前記第２入力パターンの前記方向変化が一致するか否かを判定する工程と、
前記第２入力パターンの前記方向変化が前記第２セキュリティパターンの前記方向変化に一致する場合、前記ユーザデバイス上のセキュアフィーチャに対するユーザのアクセスを許可する第２アンロック信号を提供する工程と、
をさらに備える請求項１に記載のコンピュータ実装方法。
【請求項１３】
前記セキュリティパターンは、第１セキュリティパターンであり、前記第２セキュリティパターンとは異なる、請求項１２に記載のコンピュータ実装方法。
【請求項１４】
前記入力パターンは、第１入力パターンであり、前記第１入力パターンは、１つの指を用いて前記入力デバイス上において形成され、前記第２入力パターンは、複数の指を用いて前記入力デバイス上において形成される、請求項１２に記載のコンピュータ実装方法。
【請求項１５】
前記第１入力パターンは、１つの指を用いて前記入力デバイス上において形成され、フィールドに対するフォーカス機能が、１つの指のみを用いることにより形成される前記第２入力パターンを受信するように前記タッチ式入力デバイスを構成するべく、前記タッチ式入力デバイス上においてアクティベートされ、前記第２入力パターンは、１つの指を用いて前記入力デバイス上において形成される、請求項１２に記載のコンピュータ実装方法。
【請求項１６】
入力パターンを構成する複数のユーザジェスチャを受信するように構成されているタッチ式入力デバイスであって、前記入力パターンは、前記複数のユーザジェスチャの各々における終了の動きに基づく方向変化を含み、前記入力パターンの第１部分は、第１の数の指によって形成され、前記入力パターンの第２部分は、異なる第２の数の指によって形成される、前記タッチ式入力デバイスと、
セキュリティパターンを記憶するように構成されているメモリと、
前記入力パターンと、ユーザのセキュリティプロファイルに関連付けられている前記セキュリティパターンとの間の一致を判定するように構成され、前記判定においては、前記タッチ式入力デバイス上での前記入力パターンのサイズ又は特定の位置が、前記セキュリティパターンとは比較されない、１つ以上のプロセッサであって、前記入力パターンと前記セキュリティパターンとの間の一致が判定される場合、アンロック信号が生成される、前記１つ以上のプロセッサと、
を備えるコンピューティング・デバイス。
【請求項１７】
前記１つ以上のプロセッサは、前記複数のユーザジェスチャの方向変化を前記入力パターンに関連付けるようにさらに構成されている、請求項１６に記載のコンピューティング・デバイス。
【請求項１８】
一致を判定することは、前記入力パターンに関連付けられている前記方向変化と、前記セキュリティパターンに関連付けられている方向変化との間の一致を判定することを含む、請求項１７に記載のコンピューティング・デバイス。
【請求項１９】
前記タッチ式入力デバイスは、第２入力パターンを構成する複数の第２ユーザジェスチャを受信するように構成され、前記複数の第１ユーザジェスチャは、１つの指を用いて形成され、前記複数の第２ユーザジェスチャは、複数の指を用いて形成される、請求項１６に記載のコンピューティング・デバイス。
【請求項２０】
前記１つ以上のプロセッサは、前記複数のユーザジェスチャの直線性を前記入力パターンに関連付けるようにさらに構成されている、請求項１６に記載のコンピューティング・デバイス。
【請求項２１】
タッチ式入力デバイスから入力パターンを受信する受信工程であって、前記入力パターンは、前記入力デバイス上において行われる複数のユーザジェスチャの方向変化に対応する１つ以上の方向変化を含み、前記方向変化は、前記複数のユーザジェスチャの各々における終了の動きと速度とに基づいており、前記入力パターンの第１部分は、複数の指又は１つの指によって形成され、前記入力パターンの第２部分は、前記複数の指又は前記１つの指以外の指によって形成される、前記受信工程と、
ユーザのセキュリティプロファイルに関連付けられているセキュリティパターンの方向変化に前記入力パターンの前記方向変化が一致するか否かを判定する判定工程であって、前記タッチ式入力デバイス上での前記入力パターンのサイズ又は特定の位置が、前記セキュリティパターンとは比較されない、前記判定工程と、
前記入力パターンの前記方向変化が前記セキュリティパターンの前記方向変化に一致する場合、ユーザデバイス又はユーザアカウントに対するユーザのアクセスを許可するアンロック信号を提供する提供工程と、
を備える電子デバイスをアンロックするための方法をプロセッサに実行させるための機械可読命令を含む、非一時的な機械可読記憶媒体。